(57)【要約】タッチパネルパターンＴＰＰは、複数の検出電極３８と、複数の駆動電極３９と、複数のフローティング電極４５と、複数のフローティング電極４５に含まれる基準幅フローティング電極４８と、複数のフローティング電極４５に含まれて第２方向について最も端に配されてその幅ＦＷ１が最も狭い最小幅フローティング電極４９と、複数のフローティング電極４５に含まれて第２方向について基準幅フローティング電極４８よりも端側で最小幅フローティング電極４９よりも中央側に配されてその幅ＦＷ２が基準幅フローティング電極４８よりも狭く最小幅フローティング電極４９よりは広い中間幅フローティング電極５０と、を備える。
2016199691.tif 000002
【特許請求の範囲】
【請求項１】
第１方向に沿って延在するとともに前記第１方向と直交する第２方向に沿って並んで配される複数の第１位置検出電極と、
複数の前記第１位置検出電極に対して平面視においてそれぞれ重畳する部分を含む形で前記第２方向に沿って延在するとともに前記第１方向に沿って並んで配されて前記第１位置検出電極との間で静電容量を形成する複数の第２位置検出電極と、
複数の前記第１位置検出電極に対して平面視においてそれぞれ隣り合う形で配されるとともに複数の前記第２位置検出電極に対して平面視において重畳する部分を含む形で配されていて隣り合う前記第１位置検出電極との間と、重畳する前記第２位置検出電極との間と、でそれぞれ静電容量を形成する複数のフローティング電極と、
複数の前記フローティング電極に含まれる基準幅フローティング電極と、
複数の前記フローティング電極に含まれて前記第２方向について最も端に配されてその幅が最も狭い最小幅フローティング電極と、
複数の前記フローティング電極に含まれて前記第２方向について前記基準幅フローティング電極よりも端側で前記最小幅フローティング電極よりも中央側に配されてその幅が前記基準幅フローティング電極よりも狭く前記最小幅フローティング電極よりは広い中間幅フローティング電極と、を備える位置入力装置。
【請求項２】
複数の前記第１位置検出電極は、それぞれの幅が等しくなるよう構成されている請求項１記載の位置入力装置。
【請求項３】
前記最小幅フローティング電極は、自身の幅が前記中間幅フローティング電極の幅の半値よりも大きくなるよう構成されている請求項２記載の位置入力装置。
【請求項４】
前記中間幅フローティング電極は、幅が等しくなるものが前記第２方向について前記第１位置検出電極を挟む形で少なくとも２つ配されている請求項２または請求項３記載の位置入力装置。
【請求項５】
複数の前記第１位置検出電極に含まれる基準幅第１位置検出電極と、
複数の前記第１位置検出電極に含まれて前記第２方向について最も端に配されてその幅が最も広い最大幅第１位置検出電極と、
複数の前記第１位置検出電極に含まれて前記第２方向について前記基準幅第１位置検出電極よりも端側で前記最大幅第１位置検出電極よりも中央側に配されてその幅が前記基準幅第１位置検出電極よりも広く前記最大幅第１位置検出電極よりは狭い中間幅第１位置検出電極と、を備える請求項１記載の位置入力装置。
【請求項６】
前記中間幅第１位置検出電極は、自身の幅と前記基準幅第１位置検出電極の幅との差が、自身の幅と前記最大幅第１位置検出電極の幅との差と等しくなるよう構成されている請求項５記載の位置入力装置。
【請求項７】
前記中間幅フローティング電極は、幅が異なるものが前記第２方向について前記第１位置検出電極を挟む形で少なくとも２つ配されている請求項５または請求項６記載の位置入力装置。
【請求項８】
請求項１から請求項７のいずれか１項に記載の位置入力装置と、前記位置入力装置を備える表示パネルと、を少なくとも備える位置入力機能付き表示装置。
【請求項９】
前記表示パネルは、画像が表示される表示領域に配される表示素子を少なくとも有するアレイ基板と、前記アレイ基板と対向状をなす形で間隔を空けて配される対向基板と、を備えており、
前記位置入力装置は、前記第２位置検出電極が前記対向基板における前記アレイ基板側を向いた板面において前記表示領域に設けられるのに対し、前記第１位置検出電極と前記フローティング電極とが前記対向基板における前記アレイ基板側とは反対側を向いた板面において前記表示領域に設けられることで、前記表示パネルに一体化されている請求項８記載の位置入力機能付き表示装置。
【発明の詳細な説明】
【技術分野】
【０００１】
本発明は、位置入力装置、及び位置入力機能付き表示装置に関する。
【背景技術】
【０００２】
近年、タブレット型ノートパソコンや携帯型情報端末などの電子機器において、操作性及びユーザビリティを高めることを目的として、タッチパネルの搭載が進められている。タッチパネルは、例えば指やタッチペンにより触れることで、表示パネルの表示面の面内における位置情報を入力することができる。これにより、使用者に表示パネルに表示された画像に直接触れるような、直感的な操作を可能としている。このようなタッチパネルの一例として下記特許文献１に記載されたものが知られている。【０００３】
この特許文献１には、タッチパネルコントローラは、ドライブラインＤＬ１〜ＤＬ４とセンスラインＳＬ３との間に形成される静電容量Ｃ３１〜Ｃ３４及び、ドライブラインＤＬ１〜ＤＬ４とセンスラインＳＬ４との間に形成される静電容量Ｃ４１〜Ｃ４４に対して、符号系列に基づいて、ドライブラインＤＬ１〜ＤＬ４を駆動して、静電容量Ｃ３１〜Ｃ３４からの第１線形和出力を出力させ、及び、静電容量Ｃ４１〜Ｃ４４からの第２線形和出力を出力させる駆動部と、第１線形和出力と第２線形和出力との差分を増幅する差動増幅器と、静電容量Ｃ３１〜Ｃ３４の容量値と静電容量Ｃ４１〜Ｃ４４の容量値とのライン依存性を補正する飽和防止制御部と、を備える構成が記載されている。
【先行技術文献】
【特許文献】
【０００４】
【特許文献１】特開２０１３−３６０３号公報
【０００５】
（発明が解決しようとする課題）
ところで、複数のセンスラインのうち、最も端に位置するセンスラインに係る静電容量は、それよりも中央側に位置するセンスラインに係る静電容量よりも小さくなる傾向にある。このため、最も端に位置するセンスラインとそれに隣り合うセンスラインとの間の静電容量の差は、中央側において互いに隣り合うセンスラインの間の静電容量の差に比べると、相対的に大きくなる。ここで、上記した特許文献１に記載したように、隣り合うセンスラインの静電容量の差分をとることで位置検出を行うと、最も端に位置するセンスラインとそれに隣り合うセンスラインとの間で静電容量の差分をとる際に大きなノイズが生じてしまい、位置検出感度が局所的に低下するおそれがあった。
【発明の概要】
【０００６】
本発明は上記のような事情に基づいて完成されたものであって、位置検出感度の局所的な低下を抑制することを目的とする。
【０００７】
（課題を解決するための手段）
本発明の位置入力装置は、第１方向に沿って延在するとともに前記第１方向と直交する第２方向に沿って並んで配される複数の第１位置検出電極と、複数の前記第１位置検出電極に対して平面視においてそれぞれ重畳する部分を含む形で前記第２方向に沿って延在するとともに前記第１方向に沿って並んで配されて前記第１位置検出電極との間で静電容量を形成する複数の第２位置検出電極と、複数の前記第１位置検出電極に対して平面視においてそれぞれ隣り合う形で配されるとともに複数の前記第２位置検出電極に対して平面視において重畳する部分を含む形で配されていて隣り合う前記第１位置検出電極との間と、重畳する前記第２位置検出電極との間と、でそれぞれ静電容量を形成する複数のフローティング電極と、複数の前記フローティング電極に含まれる基準幅フローティング電極と、複数の前記フローティング電極に含まれて前記第２方向について最も端に配されてその幅が最も狭い最小幅フローティング電極と、複数の前記フローティング電極に含まれて前記第２方向について前記基準幅フローティング電極よりも端側で前記最小幅フローティング電極よりも中央側に配されてその幅が前記基準幅フローティング電極よりも狭く前記最小幅フローティング電極よりは広い中間幅フローティング電極と、を備える。
【０００８】
このようにすれば、第１位置検出電極とそれに重畳する第２位置検出電極との間に静電容量が形成されるのに加えて、フローティング電極とそれに隣り合う第１位置検出電極との間と、フローティング電極とそれに重畳する第２位置検出電極との間と、にそれぞれ静電容量が形成されるので、位置検出感度（Ｓ／Ｎ比）がより高いものとなる。ところで、第２方向に沿って並ぶ複数の第１位置検出電極のうち第２方向について最も端に位置するものは、中央側に位置するものに比べると、隣り合うフローティング電極との間に形成される静電容量が相対的に小さくなりがちとなってその容量値の差が大きくなる傾向にあるため、位置検出に際して大きなノイズが生じて位置検出感度が局所的に低下することが懸念される。その点、複数のフローティング電極には、第２方向について基準幅フローティング電極よりも端側に配されるとともに最も端の最小幅フローティング電極よりも中央側に配されてその幅が基準幅フローティング電極よりも狭く最小幅フローティング電極よりは広い中間幅フローティング電極が含まれているから、各フローティング電極と、第２方向に沿って並ぶ複数の第１位置検出電極との間で形成される静電容量の容量値が均等化されて第２方向についての端側において極端な容量値の差が生じることが避けられる。これにより、位置検出に際して第２方向についての端側において第１位置検出電極がノイズの影響を受け難いものとなり、位置検出感度が第２方向についての端側において局所的に低下する事態が生じ難くなる。
【０００９】
本発明の位置入力装置の実施態様として、次の構成が好ましい。
（１）複数の前記第１位置検出電極は、それぞれの幅が等しくなるよう構成されている。このようにすれば、仮に第２方向について端に位置する第１位置検出電極の幅を相対的に広くした場合に比べると、複数のフローティング電極の総面積が従来と同等に保たれる。
【００１０】
（２）前記最小幅フローティング電極は、自身の幅が前記中間幅フローティング電極の幅の半値よりも大きくなるよう構成されている。このようにすれば、最小幅フローティング電極の幅と中間幅フローティング電極の幅との差が十分に小さなものとなるので、第２方向についての端側において生じ得る容量値の差をより緩和することができる。
【００１１】
（３）前記中間幅フローティング電極は、幅が等しくなるものが前記第２方向について前記第１位置検出電極を挟む形で少なくとも２つ配されている。このようにすれば、仮に中間幅フローティング電極として幅が異なるものを２つ配した場合に比べると、構成が単純化される。
【００１２】
（４）複数の前記第１位置検出電極に含まれる基準幅第１位置検出電極と、複数の前記第１位置検出電極に含まれて前記第２方向について最も端に配されてその幅が最も広い最大幅第１位置検出電極と、複数の前記第１位置検出電極に含まれて前記第２方向について前記基準幅第１位置検出電極よりも端側で前記最大幅第１位置検出電極よりも中央側に配されてその幅が前記基準幅第１位置検出電極よりも広く前記最大幅第１位置検出電極よりは狭い中間幅第１位置検出電極と、を備える。このようにすれば、複数の第１位置検出電極には、第２方向について基準幅第１位置検出電極よりも端側に配されるとともに最も端の最大幅第１位置検出電極よりも中央側に配されてその幅が基準幅第１位置検出電極よりも広く最大幅第１位置検出電極よりは狭い中間幅第１位置検出電極が含まれているから、各第１位置検出電極と、第２方向に沿って並ぶ複数のフローティング電極との間で形成される静電容量の容量値がより好適に均等化されて第２方向についての端側において生じ得る容量値の差がより緩和される。
【００１３】
（５）前記中間幅第１位置検出電極は、自身の幅と前記基準幅第１位置検出電極の幅との差が、自身の幅と前記最大幅第１位置検出電極の幅との差と等しくなるよう構成されている。このようにすれば、中間幅第１位置検出電極の幅が、基準幅第１位置検出電極の幅と、最大幅第１位置検出電極の幅と、の平均値となるので、各第１位置検出電極と、第２方向に沿って並ぶ複数のフローティング電極との間で形成される静電容量の容量値がさらに好適に均等化されて第２方向についての端側において生じ得る容量値の差がさらに緩和される。
【００１４】
（６）前記中間幅フローティング電極は、幅が異なるものが前記第２方向について前記第１位置検出電極を挟む形で少なくとも２つ配されている。このようにすれば、仮に中間幅フローティング電極として幅が等しくなるものを２つ配した場合に比べると、幅が異なる２つの中間幅フローティング電極の間に挟まれた第１位置検出電極と、最小幅フローティング電極に隣り合う第１位置検出電極と、の間に生じる容量値の差をより好適に緩和することができる。
【００１５】
次に、上記課題を解決するために、本発明の位置入力機能付き表示装置は、上記位置入力装置と、前記位置入力装置を備える表示パネルと、を少なくとも備える位置入力機能付き表示装置。
【００１６】
このような位置入力機能付き表示装置によれば、表示パネルと位置入力装置とを備えることにより、使用者の位置入力と、表示パネルの表示と、の連携が円滑なものとなり、使用感の向上を図る上で好適となる。
【００１７】
本発明の位置入力機能付き表示装置の実施態様として、次の構成が好ましい。
（１）前記表示パネルは、画像が表示される表示領域に配される表示素子を少なくとも有するアレイ基板と、前記アレイ基板と対向状をなす形で間隔を空けて配される対向基板と、を備えており、前記位置入力装置は、前記第２位置検出電極が前記対向基板における前記アレイ基板側を向いた板面において前記表示領域に設けられるのに対し、前記第１位置検出電極と前記フローティング電極とが前記対向基板における前記アレイ基板側とは反対側を向いた板面において前記表示領域に設けられることで、前記表示パネルに一体化されている。このようにすれば、位置入力装置が表示パネルに一体化されているので、仮に位置入力装置を表示パネルとは別部品とした場合に比べると、当該位置入力機能付き表示装置の薄型化や低コスト化などを図る上で好適となる。
【００１８】
（発明の効果）
本発明によれば、位置検出感度の局所的な低下を抑制することができる。
【図面の簡単な説明】
【００１９】
【図１】本発明の実施形態１に係る液晶表示装置の断面図
【図２】液晶表示装置に備えられる液晶パネルの平面図
【図３】液晶パネルを構成するアレイ基板の平面図
【図４】液晶パネルを構成するＣＦ基板の平面図
【図５】液晶パネルを構成するＣＦ基板の底面図
【図６】アレイ基板の中央側部分を拡大した平面図
【図７】図６のvii-vii線断面図
【図８】図６のviii-viii線断面図
【図９】ＣＦ基板のうち、短辺方向についての両端側部分を拡大した平面図
【図１０】ＣＦ基板のうち、長辺方向についての端子部側とは反対側の端部における短辺方向についての端側部分を拡大した底面図
【図１１】ＣＦ基板のうち、長辺方向についての端子部側の端部における短辺方向についての端側部分を拡大した底面図
【図１２】ＣＦ基板のうち、長辺方向についての端子部側とは反対側の端部における短辺方向についての端側部分をさらに拡大した底面図
【図１３】ＣＦ基板における検出電極及びフローティング電極の各幅を示す平面図
【図１４】本発明の実施形態２に係るＣＦ基板における検出電極及びフローティング電極の各幅を示す平面図
【発明を実施するための形態】
【００２０】
＜実施形態１＞
本発明の実施形態１を図１から図１３によって説明する。本実施形態では、位置入力機能を備えた液晶表示装置（位置入力機能付き表示装置）１０について例示する。なお、各図面の一部にはＸ軸、Ｙ軸及びＺ軸を示しており、各軸方向が各図面で示した方向となるように描かれている。また、上下方向については、図２などを基準とし、且つ同図上側を表側とするとともに同図下側を裏側とする。
【００２１】
液晶表示装置１０は、図１及び図２に示すように、画像を表示するとともにその表示される画像に基づいて使用者が入力する位置情報を検出することが可能な液晶パネル（位置入力機能付き表示パネル）１１と、液晶パネル１１に対して表示に利用する光を供給する外部光源であるバックライト装置（照明装置）１２と、を備える。また、液晶表示装置１０は、バックライト装置１２を収容するシャーシ１３と、シャーシ１３との間でバックライト装置１２を保持するフレーム１４と、フレーム１４との間で液晶パネル１１を保持するベゼル（保持部材）１５と、を備えている。このうち、バックライト装置１２は、光源（例えば冷陰極管、ＬＥＤ、有機ＥＬなど）と、光源から発せられる面状に変換するなどの光学機能を有する光学部材と、を少なくとも備えてなるものとされる。
【００２２】
本実施形態に係る液晶表示装置１０は、携帯電話（スマートフォンなどを含む）、ノートパソコン（タブレット型ノートパソコンなどを含む）、携帯型情報端末（電子ブックやＰＤＡなどを含む）、デジタルフォトフレーム、携帯型ゲーム機などの各種電子機器（図示せず）に用いられるものである。このため、液晶表示装置１０を構成する液晶パネル１１の画面サイズは、数インチ〜１０数インチ程度とされ、一般的には小型または中小型に分類される大きさとされている。
【００２３】
液晶パネル１１について説明する。液晶パネル１１は、図２に示すように、全体として縦長な方形状（矩形状）をなしており、その長辺方向がＹ軸方向と、短辺方向がＸ軸方向と、それぞれ一致している。液晶パネル１１は、画像を表示可能な表示領域（アクティブエリア）ＡＡと、表示領域ＡＡを取り囲む額縁状（枠状）をなすとともに画像を表示不能な非表示領域（ノンアクティブエリア）ＮＡＡと、に区分されている。この液晶パネル１１においては、その長辺方向における一方の端部側（図２に示す上側）に片寄った位置に表示領域ＡＡが配されている。また、非表示領域ＮＡＡは、表示領域ＡＡを取り囲む略枠状の領域（後述するＣＦ基板１１ａにおける額縁部分）と、長辺方向の他方の端部側（図２に示す下側）に確保された領域（後述するアレイ基板１１ｂのうちＣＦ基板１１ａとは重畳せずに露出する部分）と、からなり、このうちの後者は、液晶パネル１１を駆動するドライバ（パネル駆動部）１６と、フレキシブル基板（外部接続部品）１７と、が実装される実装領域となっている。フレキシブル基板１７は、可撓性を有するとともに、液晶パネル１１と外部の信号供給源である制御回路基板１８とを接続し、制御回路基板１８から供給される各種信号をドライバ１６などに伝送することが可能とされる。ドライバ１６は、内部に駆動回路を有するＬＳＩチップからなるものとされ、制御回路基板１８から供給される入力信号を処理して出力信号を生成し、その出力信号を液晶パネル１１の表示領域ＡＡへ向けて出力するものとされる。なお、図２では、ＣＦ基板１１ａよりも一回り小さな枠状の一点鎖線が表示領域ＡＡの外形を表しており、当該一点鎖線よりも外側の領域が非表示領域ＮＡＡとなっている。
【００２４】
液晶パネル１１は、図２及び図７に示すように、一対の基板１１ａ，１１ｂと、両基板１１ａ，１１ｂ間に介在し、電界印加に伴って光学特性が変化する物質である液晶分子を含む液晶層（液晶）１１ｃと、を備え、両基板１１ａ，１１ｂが液晶層１１ｃの厚さ分のギャップを維持した状態で図示しないシール部によって貼り合わせられている。一対の基板１１ａ，１１ｂのうち表側（正面側）がＣＦ基板（対向基板）１１ａとされ、裏側（背面側）がアレイ基板（素子基板、アクティブマトリクス基板）１１ｂとされる。これらＣＦ基板１１ａ及びアレイ基板１１ｂは、ほぼ透明な（高い透光性を有する）ガラス基板ＧＳを備えており、当該ガラス基板ＧＳ上に各種の膜を既知のフォトリソグラフィ法などにより積層形成してなるものとされる。このうち、ＣＦ基板１１ａは、図２に示すように、短辺寸法がアレイ基板１１ｂと概ね同等であるものの、長辺寸法がアレイ基板１１ｂよりも小さなものとされるとともに、アレイ基板１１ｂに対して長辺方向についての一方（図２に示す上側）の端部を揃えた状態で貼り合わせられている。従って、アレイ基板１１ｂのうち長辺方向についての他方（図２に示す下側）の端部は、所定範囲にわたってＣＦ基板１１ａが重なり合うことがなく、表裏両板面が外部に露出した状態とされており、ここに既述したドライバ１６及びフレキシブル基板１７の実装領域が確保されている。両基板１１ａ，１１ｂの内面側、液晶層１１ｃに含まれる液晶分子を配向させるための配向膜（図示せず）がそれぞれ液晶層１１ｃに直接臨む形で形成されている。また、両基板１１ａ，１１ｂの外面側には、それぞれ偏光板（図示せず）が貼り付けられている。
【００２５】
アレイ基板１１ｂ及びＣＦ基板１１ａにおける表示領域ＡＡ内に存在する構成について簡単に説明する。アレイ基板１１ｂの内面側（液晶層１１ｃ側、ＣＦ基板１１ａとの対向面側）における表示領域ＡＡには、図６及び図７に示すように、スイッチング素子であるＴＦＴ（Thin Film Transistor、表示素子）１９及び画素電極２０が多数個ずつマトリクス状に並んで設けられるとともに、これらＴＦＴ１９及び画素電極２０の周りには、格子状をなすゲート配線２１及びソース配線２２が取り囲むようにして配設されている。言い換えると、格子状をなすゲート配線２１及びソース配線２２の交差部に、ＴＦＴ１９及び画素電極２０が行列状に並んで配置されている。ゲート配線２１とソース配線２２とがそれぞれＴＦＴ１９のゲート電極１９ａとソース電極１９ｂとに接続され、画素電極２０がＴＦＴ１９のドレイン電極１９ｃに接続されている。これらＴＦＴ１９、画素電極２０、ゲート配線２１、及びソース配線２２は、画像を表示するための回路である表示用回路の一部を構成している。なお、ＴＦＴ１９の詳しい構成については後に説明する。画素電極２０は、平面に視て縦長の方形状（矩形状）をなしている。そして、アレイ基板１１ｂには、共通電位（基準電位）が供給されることで上記した画素電極２０との間で電界を形成する共通電極２３が設けられている。つまり、本実施形態に係る液晶パネル１１は、動作モードがＩＰＳ（In-Plane Switching）モードをさらに改良したＦＦＳ（Fringe Field Switching）モードとされていて、アレイ基板１１ｂ側に画素電極２０及び共通電極２３を共に形成し、且つこれら画素電極２０と共通電極２３とを異なる層に配してなるものである。画素電極２０には、平面に視てＸ軸方向及びＹ軸方向に対する斜め方向に沿って延在するスリット２０ａが間欠的に並んで形成されている。このスリット２０ａによって画素電極２０と異なる層に配された共通電極２３との間に電位差が生じたとき、アレイ基板１１ｂの板面に沿う成分に加えて、アレイ基板１１ｂの板面に対する法線方向の成分を含むフリンジ電界（斜め電界）が印加されるようになっており、そのフリンジ電界を利用して液晶層１１ｃに含まれる液晶分子の配向状態を適切にスイッチングすることができる。
【００２６】
一方、ＣＦ基板１１ａの内面側（液晶層１１ｃ側、アレイ基板１１ｂとの対向面側）における表示領域ＡＡには、図７に示すように、Ｒ（赤色），Ｇ（緑色），Ｂ（青色）等の各着色部が、アレイ基板１１ｂ側の各画素電極２０と平面に視て重畳するよう多数個マトリクス状に並列して配置されたカラーフィルタ２４が設けられている。カラーフィルタ２４をなす各着色部間には、混色を防ぐための略格子状の遮光部（ブラックマトリクス）２５が形成されている。遮光部２５は、上記したゲート配線２１及びソース配線２２と平面に視て重畳する配置とされる。カラーフィルタ２４及び遮光部２５の表面には、平坦化膜（保護膜、オーバーコート膜）２６が設けられている。なお、当該液晶パネル１１においては、Ｒ（赤色），Ｇ（緑色），Ｂ（青色）の３色の着色部及びそれらと対向する３つの画素電極２０の組によって表示単位である１つの表示画素が構成されている。表示画素は、Ｒ，Ｇ，Ｂの３色の画素部ＰＸからなる。各画素部ＰＸは、画素電極２０と、それと対向状をなす着色部と、の組によって構成される。これら各色の画素部ＰＸは、液晶パネル１１の板面において行方向（Ｘ軸方向）に沿って繰り返し並べて配されることで、画素部群を構成しており、この画素部群が列方向（Ｙ軸方向）に沿って多数並んで配されている。なお、上記した遮光部２５は、互いに隣り合う画素部ＰＸの間を仕切る形で配されている。
【００２７】
次に、アレイ基板１１ｂの内面側に既知のフォトリソグラフィ法などによって積層形成された各種の膜の具体的な積層順などについて詳しく説明する。アレイ基板１１ｂには、液晶パネル１１が有する機能のうちの、画像を表示する機能（表示機能）を発揮するための構造物が主に設けられている。詳しくは、アレイ基板１１ｂには、図７に示すように、下層側（ガラス基板ＧＳ側、裏側）から順に、ベースコート膜２７、半導体膜２８、ゲート絶縁膜（無機絶縁膜）２９、第１金属膜（ゲート金属膜）３０、第１層間絶縁膜（無機絶縁膜）３１、第２金属膜（ソース金属膜）３２、平坦化膜（有機絶縁膜）３３、第１透明電極膜３４、第２層間絶縁膜（無機絶縁膜）３５、第２透明電極膜３６、が積層形成されている。また、図示は省略しているが、第２層間絶縁膜３５及び第２透明電極膜３６の上層側には、既述した配向膜が形成されている。
【００２８】
ベースコート膜２７は、アレイ基板１１ｂをなすガラス基板ＧＳの表面の全体を覆うベタ状のパターンとされており、例えば酸化珪素（ＳｉＯ２）、窒化珪素（ＳｉＮｘ）、窒化酸化珪素（ＳｉＯＮ）などからなる。半導体膜２８は、ベースコート膜２７の上層側に積層されるとともに、表示領域ＡＡと非表示領域ＮＡＡとにそれぞれ配されるようパターニングされている。半導体膜２８は、少なくとも表示領域ＡＡにおいては、後述するＴＦＴ１９の配置に応じて島状にパターニングされている。半導体膜２８は、多結晶化されたシリコン薄膜（多結晶シリコン薄膜）の一種であるＣＧシリコン（Continuous Grain Silicon）薄膜からなるものとされている。ＣＧシリコン薄膜は、例えばアモルファスシリコン薄膜に金属材料を添加し、５５０℃以下程度の低温で短時間の熱処理を行うことで形成されており、それによりシリコン結晶の結晶粒界における原子配列に連続性を有している。ゲート絶縁膜２９は、ベースコート膜２７及び半導体膜２８の上層側に積層されるとともに、表示領域ＡＡと非表示領域ＮＡＡとに跨る形のベタ状のパターンとされており、例えば酸化珪素（ＳｉＯ２）からなるものとされる。
【００２９】
第１金属膜３０は、ゲート絶縁膜２９の上層側に積層されるとともに、表示領域ＡＡと非表示領域ＮＡＡとにそれぞれ配されるようパターニングされており、例えばチタン（Ｔｉ）及び銅（Ｃｕ）の積層膜により形成されている。この第１金属膜３０により、既述したゲート配線２１及びゲート電極１９ａなどが構成されている。第１層間絶縁膜３１は、ゲート絶縁膜２９及び第１金属膜３０の上層側に積層されるとともに、表示領域ＡＡと非表示領域ＮＡＡとに跨る形のベタ状のパターンとされており、例えば酸化珪素（ＳｉＯ２）からなるものとされる。この第１層間絶縁膜３１により、既述したゲート配線２１とソース配線２２との交差部間が絶縁状態に保たれている。第２金属膜３２は、第１層間絶縁膜３１の上層側に積層されるとともに、表示領域ＡＡと非表示領域ＮＡＡとにそれぞれ配されるようパターニングされており、例えばチタン（Ｔｉ）及び銅（Ｃｕ）の積層膜により形成されている。この第２金属膜３２により、既述したソース配線２２、ソース電極１９ｂ、及びドレイン電極１９ｃなどが構成されている。平坦化膜３３は、第１層間絶縁膜３１及び第２金属膜３２の上層側に積層されるとともに、表示領域ＡＡと非表示領域ＮＡＡとに跨る形のベタ状のパターンとされており、例えばポリメタクリル酸メチル樹脂（ＰＭＭＡ）などのアクリル系樹脂材料などからなるものとされる。平坦化膜３３は、その膜厚が、無機絶縁膜である他の絶縁膜２９，３１，３５に比べて相対的に大きなものとされている。従って、平坦化膜３３は、アレイ基板１１ｂにおける液晶層１１ｃ側の面（配向膜が配される面）を好適に平坦化することができる。
【００３０】
第１透明電極膜３４は、平坦化膜３３の上層側に積層されるとともに、少なくとも表示領域ＡＡにおいて概ねベタ状のパターンとして形成されており、例えばＩＴＯ（Indium Tin Oxide）或いはＺｎＯ（Zinc Oxide）といった透明電極材料からなる。この第１透明電極膜３４により、概ねベタ状のパターンである共通電極２３が構成されている。第２層間絶縁膜３５は、平坦化膜３３及び第１透明電極膜３４の上層側に積層されるとともに、表示領域ＡＡと非表示領域ＮＡＡとに跨る形のベタ状のパターンとされており、例えば窒化珪素（ＳｉＮｘ）からなるものとされる。第２透明電極膜３６は、第２層間絶縁膜３５の上層側に積層されるとともに、表示領域ＡＡにおいてＴＦＴ１９の配置に応じて島状にパターニングされており、例えばＩＴＯ（Indium Tin Oxide）或いはＺｎＯ（Zinc Oxide）といった透明電極材料からなる。この第２透明電極膜３６により画素電極２０が構成されている。なお、ゲート絶縁膜２９、第１層間絶縁膜３１、平坦化膜３３、及び第２層間絶縁膜３５には、アレイ基板１１ｂの製造工程においてパターニングされることで、それぞれの所定の位置にコンタクトホールＣＨ１，ＣＨ２などの開口が形成されるようになっている。
【００３１】
アレイ基板１１ｂにおける表示領域ＡＡに配されるＴＦＴ１９は、図７に示すように、半導体膜２８からなるチャネル部１９ｄと、チャネル部１９ｄに対してゲート絶縁膜２９を介して上層側に重畳する形で配されるゲート電極１９ａと、ゲート電極１９ａに対して第１層間絶縁膜３１を介して上層側に配されるソース電極１９ｂ及びドレイン電極１９ｃと、を備えており、いわゆるトップゲート型（スタガ型）とされている。このうち、ソース電極１９ｂ及びドレイン電極１９ｃは、ゲート絶縁膜２９及び第１層間絶縁膜３１にそれぞれ開口形成されたコンタクトホールＣＨ１を通してチャネル部１９ｄに対して接続されており、それによりソース電極１９ｂとドレイン電極１９ｃとの間での電子の移動が可能とされている。チャネル部１９ｄをなす半導体膜２８は、既述した通りＣＧシリコン薄膜からなるものとされる。このＣＧシリコン薄膜は、アモルファスシリコン薄膜などに比べると、電子移動度が例えば２００〜３００ｃｍ２／Ｖｓ程度と高くなっているので、このＣＧシリコン薄膜からなる半導体膜２８をＴＦＴ１９のチャネル部１９ｄとすることで、ＴＦＴ１９を小型化して画素電極２０の透過光量を極大化することができ、もって高精細化及び低消費電力化を図る上で好適とされる。ＴＦＴ１９のドレイン電極１９ｃには、平坦化膜３３及び第２層間絶縁膜３５にそれぞれ開口形成されたコンタクトホールＣＨ２を通して第２透明電極膜３６からなる画素電極２０が接続されている。これにより、ＴＦＴ１９のゲート電極１９ａを通電すると、チャネル部１９ｄを介してソース電極１９ｂとドレイン電極１９ｃとの間に電流が流されるとともに画素電極２０に所定の電位が印加される。なお、第１透明電極膜３４からなる共通電極２３は、第２層間絶縁膜３５を挟み込む形で各画素電極２０と平面に視て重畳する配置とされている。なお、既述した通り、概ねベタ状のパターンとされる共通電極２３のうち、平坦化膜３３及び第２層間絶縁膜３５のコンタクトホールＣＨ２と平面に視て重畳する位置には、画素電極２０のコンタクト部分を通すための開口が形成されている。
【００３２】
次に、アレイ基板１１ｂにおける非表示領域ＮＡＡ内に存在する構成について説明する。アレイ基板１１ｂの非表示領域ＮＡＡのうち、表示領域ＡＡに対してＸ軸方向（液晶パネル１１の短辺方向）について隣り合う位置には、図３に示すように、ＴＦＴ１９などと共に表示用回路を構成するモノリシック回路部（素子駆動部）３７が設けられている。モノリシック回路部３７は、表示領域ＡＡをＸ軸方向について両側から挟み込む形で一対備えられており、Ｙ軸方向に沿って表示領域ＡＡのほぼ全長にわたって延在する範囲にわたって設けられている。モノリシック回路部３７は、表示領域ＡＡから引き出されるゲート配線２１に接続されることで、ドライバ１６からの出力信号をＴＦＴ１９に供給するための制御を行うことが可能とされている。モノリシック回路部３７は、表示領域ＡＡ内のＴＦＴ１９と同じ半導体膜２８をベースとしてアレイ基板１１ｂ上にモノリシックに形成されており、それによりＴＦＴ１９への出力信号の供給を制御するための制御回路及びその回路素子を有している。この制御回路をなす回路素子には、例えば、チャネル部として半導体膜２８を用いた図示しない回路用ＴＦＴ（回路用薄膜トランジスタ）などが含まれている。制御回路には、第１金属膜３０及び第２金属膜３２を用いた図示しない回路用配線部などが含まれている。モノリシック回路部３７は、ドライバ１６からの出力信号に含まれる走査信号を、各ゲート配線２１に所定のタイミングで供給して各ゲート配線２１を順次に走査する走査回路を有している。また、モノリシック回路部３７には、レベルシフタ回路やＥＳＤ保護回路などの付属回路を備えることも可能である。なお、モノリシック回路部３７は、アレイ基板１１ｂ上に形成された図示しない接続配線によってドライバ１６に接続されている。
【００３３】
ところで、本実施形態に係る液晶パネル１１は、既述した通り、画像を表示する表示機能と、表示される画像に基づいて使用者が入力する位置情報を検出する位置入力機能と、を併有しており、このうちの位置入力機能を発揮するためのタッチパネルパターン（位置入力装置）ＴＰＰを内蔵（インセル化）している。タッチパネルパターンＴＰＰは、いわゆる投影型静電容量方式とされており、その検出方式が相互容量方式とされるものである。このタッチパネルパターンＴＰＰは、専らＣＦ基板１１ａに設けられている。詳しくは、タッチパネルパターンＴＰＰは、図４及び図５に示すように、ＣＦ基板１１ａのうち、外面側（液晶層１１ｃ側とは反対側、表側、表示面側）に設けられる検出電極（第１位置検出電極、受信電極）３８と、内面側（液晶層１１ｃ側、裏側、表示面側とは反対側）に設けられる駆動電極（第２位置検出電極、送信電極）３９と、を少なくとも有してなる。このタッチパネルパターンＴＰＰによれば、検出電極３８と駆動電極３９との間に形成される電界を遮る物質（使用者の指など）の有無による静電容量の差によって位置入力（タッチ操作）の有無を検出するようことができるものとされる。タッチパネルパターンＴＰＰを構成する検出電極３８及び駆動電極３９は、ＣＦ基板１１ａの表示領域ＡＡに配されている。従って、液晶パネル１１における表示領域ＡＡは、入力位置を検出可能なタッチ領域とほぼ一致しており、非表示領域ＮＡＡが入力位置を検出不能な非タッチ領域とほぼ一致していることになる。そして、ＣＦ基板１１ａの内面における非タッチ領域（非表示領域ＮＡＡ）である、短辺方向（Ｘ軸方向）についての両端部には、駆動電極３９に接続されて駆動電極３９に信号を伝送するための位置検出配線部４０がそれぞれ設けられている。
【００３４】
また、ＣＦ基板１１ａのうちの非タッチ領域である、長辺方向（Ｙ軸方向）についての一端部（図４及び図５に示す下側の端部）の外面側には、図示しないタッチパネルコントローラと検出電極３８との間で信号を伝送するためのタッチパネル用フレキシブル基板４１が接続されている。タッチパネル用フレキシブル基板４１は、液晶パネル１１に接続された表示用のフレキシブル基板１７と平面に視て概ね重畳する配置とされる。また、ＣＦ基板１１ａの内面における非タッチ領域において、タッチパネル用フレキシブル基板４１と重畳する部分には、位置検出配線部４０のうち駆動電極３９に接続される側とは反対側の端部に接続されるＣＦ基板側コンタクト部（信号供給部、対向基板側信号供給部）４２が一対設けられている。これに対し、アレイ基板１１ｂのうちの内面における非表示領域ＮＡＡにおいて、ＣＦ基板側コンタクト部４２と重畳する部分には、ＣＦ基板側コンタクト部４２に対して導通接続されるアレイ基板側コンタクト部（素子基板側信号供給部）４３が一対設けられている。アレイ基板側コンタクト部４３は、アレイ基板１１ｂの内面に形成された図示しない接続配線を介してドライバ１６に接続されている。従って、図示しないタッチパネルコントローラからの信号は、フレキシブル基板１７、ドライバ１６、アレイ基板側コンタクト部４３、ＣＦ基板側コンタクト部４２、及び位置検出配線部４０を順次に介して駆動電極３９へと伝送されるようになっている。なお、ＣＦ基板側コンタクト部４２及びアレイ基板側コンタクト部４３は、液晶層１１ｃを封止するためのシール部（図示せず）と平面に視て重畳する配置とされるとともに、このシール部に含有させた導電性粒子を介して相互の導通接続が図られるものとされる。
【００３５】
検出電極３８は、図４及び図９に示すように、ＣＦ基板１１ａの外面における表示領域ＡＡにおいて、長辺方向、つまりＹ軸方向（第１方向）に沿って延在する形で設けられており、平面形状が縦長の方形状をなしている。検出電極３８は、画素電極２０や共通電極２３などと同様に、ＩＴＯ（Indium Tin Oxide）或いはＺｎＯ（Zinc Oxide）といった透明電極材料を用いた透明電極膜４４からなるものとされる。このため、検出電極３８は、ＣＦ基板１１ａの表示領域ＡＡに配されているものの、使用者から視認され難いものとされる。検出電極３８は、その長さ寸法が後述するフローティング電極４５の長さ寸法よりも大きくされるのに加えて、表示領域ＡＡの長辺寸法よりもさらに大きなものとされており、その一方の端部（図４に示す下側の端部）が非表示領域ＮＡＡに達するとともにタッチパネル用フレキシブル基板４１に接続されている。検出電極３８は、その線幅が表示画素（画素部ＰＸ）のＸ軸方向についての寸法などに比べると、大きなものとなっており、複数の表示画素（画素部ＰＸ）の間に跨る大きさを有している（図７を参照）。具体的には、検出電極３８の線幅が数ｍｍ程度（例えば２ｍｍ程度）とされており、表示画素（画素部ＰＸ）のＸ軸方向についての寸法である数百μｍ程度よりも遙かに大きなものとされる。
【００３６】
検出電極３８は、図４及び図９に示すように、ＣＦ基板１１ａの外面における表示領域ＡＡにおいて、短辺方向、つまりＸ軸方向（第２方向、検出電極３８の並び方向）について複数（図４では１２本）が間隔を空けて並んで配されている。ＣＦ基板１１ａの外面における表示領域ＡＡには、各検出電極３８に対して平面視においてＸ軸方向についてそれぞれ隣り合う形で複数のフローティング電極４５が設けられている。複数のフローティング電極４５には、Ｘ軸方向について互いに隣り合う検出電極３８の間に挟まれる形で配されるものと、Ｘ軸方向について最も端に位置する検出電極３８に対してＸ軸方向について端側に隣り合う形で配されるものと、が含まれている。各フローティング電極４５は、各検出電極３８とは物理的に及び電気的に切り離されていて浮島状となっており、少なくともＸ軸方向について隣り合う検出電極３８との間で静電容量を形成するものとされる。従って、複数のフローティング電極４５のうち、Ｘ軸方向について互いに隣り合う検出電極３８の間に挟まれる形で配されるものは、Ｘ軸方向について左右に隣り合う２つの検出電極３８との間でそれぞれ静電容量を形成するのに対し、Ｘ軸方向について最も端に位置するものは、Ｘ軸方向について最も端に位置する１つの検出電極３８との間で静電容量を形成する。このようなフローティング電極４５が設けられることで、検出電極３８の容量値がより大きなものとなり、位置検出感度（Ｓ／Ｎ比）の向上を図る上で好適とされる。各フローティング電極４５は、後述する駆動電極３９に対しても平面視において重畳する配置とされているので、重畳する駆動電極３９との間で静電容量を形成するものとされる。フローティング電極４５は、検出電極３８と同じ透明電極膜４４からなり、ＣＦ基板１１ａの外面において検出電極３８と同層に配されている。つまり、フローティング電極４５及び検出電極３８を形成するに際しては、ＣＦ基板１１ａの外面上にベタ状の透明電極膜４４を成膜した後に、その透明電極膜４４をパターニングすることで、相互に電気的に独立したフローティング電極４５及び検出電極３８が形成されるようになっている。このフローティング電極４５により、ＣＦ基板１１ａのうちＸ軸方向について隣り合う検出電極３８の間の領域の透過率が、検出電極３８の配置領域の透過率と同等になるものとされ、もって検出電極３８の存在が使用者に視認され難いものとなっている。
【００３７】
検出電極３８に対してＸ軸方向について隣り合うフローティング電極４５は、図９に示すように、後述する複数の駆動電極３９に対して個々に重畳するようＹ軸方向について分割される複数の分割フローティング電極（分割第１フローティング電極）４５Ｓから構成されている。分割フローティング電極４５Ｓは、平面形状が縦長の方形状をなしており、その長辺寸法（Ｙ軸方向についての寸法）が検出電極３８の長辺寸法よりも短く且つ後述する駆動電極３９の幅寸法（Ｙ軸方向についての寸法）と同等とされている。そして、複数の分割フローティング電極４５Ｓは、Ｙ軸方向に沿って並ぶ複数の駆動電極３９に対して平面に視て個々に重畳するよう配置されている。これにより、各分割フローティング電極４５Ｓは、重畳する各駆動電極３９との間でそれぞれ個別に静電容量を形成するものとされており、重畳しない他の駆動電極３９の電位の影響を受け難いものとされる。また、１つのフローティング電極４５を構成する分割フローティング電極４５Ｓの数（フローティング電極４５の分割数）は、Ｙ軸方向に沿って並ぶ駆動電極３９の数と一致している。
【００３８】
駆動電極３９は、図５及び図１０に示すように、ＣＦ基板１１ａの内面における表示領域ＡＡにおいて、検出電極３８の延在方向であるＹ軸方向（第１方向）と直交するＸ軸方向（第２方向）に沿って延在する形で設けられている。駆動電極３９は、その長さ寸法が表示領域ＡＡの短辺寸法と同等とされるのに対し、その線幅が検出電極３８の線幅よりも幅広とされている。駆動電極３９は、ＣＦ基板１１ａの表示領域ＡＡの内面においてその延在方向と直交するＹ軸方向（第１方向、駆動電極３９の並び方向）に沿って複数が並んで配されている。Ｙ軸方向について隣り合う駆動電極３９の間の間隔は、それぞれ等しいものとされており、複数の駆動電極３９は、等ピッチ配列されていると言える。そして、駆動電極３９は、その一部が検出電極３８及びフローティング電極４５と平面に視て交差しており、その交差部位同士がＣＦ基板１１ａのガラス基板ＧＳを挟んで対向状をなすとともにその間においてそれぞれ静電容量を形成することが可能とされる。この駆動電極３９は、検出電極３８及びフローティング電極４５を構成する透明電極膜４４に比べると導電性に優れた金属膜４６からなるものとされており、それにより配線抵抗の低減が図られている。駆動電極３９を構成する金属膜４６は、例えばアルミニウム、モリブデン、チタン、タングステン、銅、銀、金などの金属材料からなるものとされる。なお、駆動電極３９を構成する金属膜４６によりＣＦ基板側コンタクト部４２が構成されている。
【００３９】
駆動電極３９を構成する金属膜４６は、導電性には優れるものの透光性を殆ど有しておらず、そのためＣＦ基板１１ａの表示領域ＡＡに配される駆動電極３９が使用者に視認されることが懸念される。そこで、駆動電極３９は、図８及び図１２に示すように、複数本の分割駆動電極（分割第２位置検出電極、単位駆動電極、分岐駆動電極）３９Ｓから構成されるとともに、それら各分割駆動電極３９ＳがＣＦ基板１１ａの遮光部２５の一部と平面に視て重畳する配置とされている。駆動電極３９を構成する複数本の分割駆動電極３９Ｓは、Ｘ軸方向（第２方向）に沿って延在するとともに、遮光部２５のうちＸ軸方向に沿って延在する部分の上層側（アレイ基板１１ｂ側、液晶層１１ｃ側、ガラス基板ＧＳ側とは反対側）に積層する形で設けられている。このように、使用者から見て駆動電極３９が遮光部２５によって隠される配置とされることで、駆動電極３９にて外光が反射される事態が生じ難くなるとともに駆動電極３９が使用者に視認される事態が生じ難いものとされる。分割駆動電極３９Ｓは、Ｙ軸方向（第１方向）について間隔を空けて複数が並ぶ形で配されており、その間隔がＹ軸方向について隣り合うゲート配線２１の間の間隔（Ｙ軸方向についての画素部ＰＸ間の配列ピッチ、画素電極２０の長さ寸法）とほぼ等しいものとされる。各分割駆動電極３９Ｓは、ゲート配線２１とも平面に視て重畳する配置とされている。しかも、駆動電極３９を構成する分割駆動電極３９Ｓは、その線幅が遮光部２５におけるＸ軸方向に沿って延在する部分の幅寸法よりも小さなものとされているので、例えばＣＦ基板１１ａの製造過程において遮光部２５や駆動電極３９をパターニングする際に相対的な位置ずれが生じた場合であっても、分割駆動電極３９Ｓが遮光部２５と重畳配置される確実性が高いものとなる。また、分割駆動電極３９Ｓは、その線幅が検出電極３８の線幅よりも小さいものとされる。
【００４０】
位置検出配線部４０は、図５及び図１０に示すように、ＣＦ基板１１ａの内面おける非表示領域ＮＡＡにおいて、一方の端部が駆動電極３９の一端部に接続されるのに対し、他方の端部がＣＦ基板側コンタクト部４２に接続される形で配索形成されており、その大部分が駆動電極３９の延在方向と直交するＹ軸方向（第１方向）に沿って延在する形で設けられている。詳しくは、位置検出配線部４０は、駆動電極３９の一端部に接続される第１配線部４０ａと、第１配線部４０ａからＹ軸方向に沿って延在する第２配線部４０ｂと、第２配線部４０ｂからＣＦ基板側コンタクト部４２に至るまで屈曲した平面形状とされる第３配線部４０ｃと、から構成される。位置検出配線部４０は、駆動電極３９からＣＦ基板側コンタクト部４２に近づくに連れて線幅が段階的に狭くなっており、第１配線部４０ａの線幅が駆動電極３９の線幅とほぼ等しいのに対し、第２配線部４０ｂの線幅が第１配線部４０ａの線幅よりも狭いものとされ、さらには第３配線部４０ｃの線幅が第２配線部４０ｂの線幅よりも狭いものとされる。位置検出配線部４０は、その延面距離が接続対象となる駆動電極３９からＣＦ基板側コンタクト部４２に至るまでとなっている。従って、ＣＦ基板側コンタクト部４２に相対的に近い駆動電極３９に接続される位置検出配線部４０は、その延面距離が相対的に短いのに対し、ＣＦ基板側コンタクト部４２から相対的に遠い駆動電極３９に接続される位置検出配線部４０は、その延面距離が相対的に長いものとされる。
【００４１】
位置検出配線部４０は、駆動電極３９と同じ金属膜４６からなり、ＣＦ基板１１ａの内面において駆動電極３９と同層に配されている。このように位置検出配線部４０は、金属膜４６からなるものとされているので、その配線抵抗が十分に低いものとされており、それにより駆動電極３９に伝送する信号に鈍りなどが生じ難いものとされている。位置検出配線部４０は、金属膜４６からなるため、透光性を殆ど有していないものの、ＣＦ基板１１ａにおける非表示領域ＮＡＡに配されているので、表示品位に悪影響を及ぼし難いものとなっている。
【００４２】
位置検出配線部４０は、図５及び図１０に示すように、駆動電極３９をその延在方向についての両側から挟み込む形で複数ずつ配されている。つまり、位置検出配線部４０は、非表示領域ＮＡＡ（非タッチ領域）のうち、表示領域ＡＡ（タッチ領域）をＸ軸方向について挟んだ左右両側に複数ずつ分けて配されている。そして、これらの位置検出配線部４０は、アレイ基板１１ｂの非表示領域ＮＡＡに設けられた各モノリシック回路部３７と平面に視て重畳する形でそれぞれ配されている。これにより、各モノリシック回路部３７からノイズが生じた場合でも、そのノイズを複数ずつの位置検出配線部４０によって遮蔽することができ、もってタッチパネルパターンＴＰＰの位置検出性能が劣化し難いものとなる。位置検出配線部４０のうち、一方（例えば図５に示す右側）のモノリシック回路部３７と重畳する一方の位置検出配線部４０は、駆動電極３９の延在方向についての一方の端部に接続されるのに対し、他方（例えば図５に示す左側）のモノリシック回路部３７と重畳する他方の位置検出配線部４０は、駆動電極３９の延在方向についての他方の端部に接続される。Ｙ軸方向に沿って並ぶ複数の駆動電極３９は、一方の端部が一方の位置検出配線部４０に接続されるものと、他方の端部が他方の位置検出配線部４０に接続されるものと、がＹ軸方向について交互に並ぶ配列とされている。より詳しくは、Ｙ軸方向についてＣＦ基板側コンタクト部４２側から数えて奇数番目の駆動電極３９は、他方の位置検出配線部４０に接続されるのに対し、偶数番目の駆動電極３９は、一方の位置検出配線部４０に接続されている。
【００４３】
ＣＦ基板１１ａの内面における非表示領域ＮＡＡには、図５及び図１０に示すように、各駆動電極３９における位置検出配線部４０に接続された側とは反対側の端部に対してＸ軸方向について隣り合う形でダミー配線部４７が設けられている。ダミー配線部４７は、Ｙ軸方向についての寸法が駆動電極３９の線幅（Ｙ軸方向についての寸法）とほぼ等しいものとされており、Ｘ軸方向に沿って並ぶ複数の駆動電極３９毎に個別に配置されている。詳しくは、ダミー配線部４７には、一方の位置検出配線部４０に接続された駆動電極３９における他方の端部に対して隣り合う形で配されるものと、他方の位置検出配線部４０に接続された駆動電極３９における一方の端部に対して隣り合う形で配されるものと、が含まれている。ダミー配線部４７は、Ｘ軸方向について隣り合う駆動電極３９と、Ｙ軸方向についてＣＦ基板側コンタクト部４２から遠い側に隣り合う位置検出配線部４０を構成する第２配線部４０ｂと、の間に挟み込まれる形で配されている。ダミー配線部４７は、Ｘ軸方向についての寸法が、当該ダミー配線部４７を挟み込む駆動電極３９と第２配線部４０ｂとの間の間隔よりも小さいものとされる。従って、Ｙ軸方向についてＣＦ基板側コンタクト部４２に近いダミー配線部４７と、ＣＦ基板側コンタクト部４２から遠いダミー配線部４７と、を比較すると、前者が後者よりもＸ軸方向についての寸法が小さなものとされる。このダミー配線部４７は、駆動電極３９及び位置検出配線部４０と同じ金属膜４６からなり、ＣＦ基板１１ａの内面において駆動電極３９及び位置検出配線部４０と同層に配されている。なお、ダミー配線部４７と、隣り合う第２配線部４０ｂと、の間の間隔は、例えば３μｍ〜１００μｍの範囲に含まれるようにするのが好ましい。
【００４４】
そして、ダミー配線部４７は、アレイ基板１１ｂの非表示領域ＮＡＡに設けられたモノリシック回路部３７と平面に視て重畳する形で配されている。詳しくは、他方の位置検出配線部４０に接続された駆動電極３９における一方の端部に対して隣り合う形で配されるダミー配線部４７は、一方のモノリシック回路部３７と平面に視て重畳するのに対し、一方の位置検出配線部４０に接続された駆動電極３９における他方の端部に対して隣り合う形で配される他方のダミー配線部４７は、他方のモノリシック回路部３７と平面に視て重畳している。これらのダミー配線部４７（ＣＦ基板側コンタクト部４２から最も遠いものを除く）は、駆動電極３９のうち位置検出配線部４０に接続された側とは反対側の端部と、それに対してＸ軸方向について隣り合う位置検出配線部４０の第２配線部４０ｂと、の間に空けられた隙間を埋める形で配されている。その上で、ダミー配線部４７は、Ｘ軸方向について隣り合う駆動電極３９の端部、言い換えると駆動電極３９のうちの位置検出配線部４０に接続される側とは反対側の端部に接続されている。これにより、モノリシック回路部３７からノイズが生じた場合でも、そのノイズを位置検出配線部４０及びダミー配線部４７が協働して高い効率でもって遮蔽することができる。しかも、製造過程において、ＣＦ基板１１ａの内面に、駆動電極３９、位置検出配線部４０、ＣＦ基板側コンタクト部４２、及びダミー配線部４７を構成する金属膜４６を成膜して同金属膜４６をパターニングした状態において、ＣＦ基板側コンタクト部４２とダミー配線部４７とに導通検査装置を構成する導通検査パッドを宛がって通電を試みることで、駆動電極３９及び位置検出配線部４０に断線などの不良が生じているか否かを検出することができる。つまり、ダミー配線部４７を駆動電極３９及び位置検出配線部４０の通電検査に用いることが可能とされる。なお、このダミー配線部４７は、位置入力機能に関しては特に機能を発揮することはないものとされる。
【００４５】
位置検出配線部４０は、図１０及び図１１に示すように、第２配線部４０ｂの線幅が、接続対象となる駆動電極３９によって異なるものとされる。詳しくは、位置検出配線部４０は、第１配線部４０ａ及び第３配線部４０ｃの線幅が接続対象となる駆動電極３９に拘わらずほぼ一定とされるのに対し、第２配線部４０ｂの線幅については、ＣＦ基板側コンタクト部４２に近い駆動電極３９に接続されるものほど狭く、ＣＦ基板側コンタクト部４２から遠い駆動電極３９に接続されるものほど広くなるよう構成されている。ここで、ＣＦ基板側コンタクト部４２から遠い駆動電極３９に接続される位置検出配線部４０は、ＣＦ基板側コンタクト部４２に近い駆動電極３９に接続される位置検出配線部４０に比べると、相対的に延面距離が相対的に長いため、配線抵抗が高くなりがちとされるものの、上記のように第２配線部４０ｂの線幅を相対的に広くすることで、配線抵抗を低く抑えることができる。これにより、ＣＦ基板側コンタクト部４２から遠い駆動電極３９に接続される位置検出配線部４０と、ＣＦ基板側コンタクト部４２に近い駆動電極３９に接続される位置検出配線部４０と、の間に生じ得る配線抵抗の差を緩和することができ、それにより位置検出性能が劣化し難いものとなる。なお、位置検出配線部４０の第１配線部４０ａのＹ軸方向についての寸法（線幅）は、ほぼ一定とされるものの、第１配線部４０ａのＸ軸方向についての寸法は、ＣＦ基板側コンタクト部４２に近い駆動電極３９に接続されるものほど小さくなっている。
【００４６】
次に、ＣＦ基板１１ａの内面側（液晶層１１ｃ側、アレイ基板１１ｂとの対向面側）に既知のフォトリソグラフィ法などによって積層形成された各種の膜について説明する。ＣＦ基板１１ａには、図７及び図８に示すように、下層側（ガラス基板ＧＳ側、表側）から順に、遮光部２５及びカラーフィルタ２４、金属膜４６、平坦化膜２６が積層形成されている。また、図示は省略しているが、平坦化膜２６の上層側には、既述した配向膜が積層されている。また、本実施形態においては、図示は省略しているが、平坦化膜２６の上層側には、アレイ基板１１ｂ側に向けて液晶層１１ｃを貫く形で突出する柱状をなすフォトスペーサ部が設けられており、主に表示領域ＡＡにおいてセルギャップを一定に維持することが可能とされる。
【００４７】
遮光部２５は、図７及び図８に示すように、ＣＦ基板１１ａをなすガラス基板ＧＳの表面において表示領域ＡＡと非表示領域ＮＡＡとに跨る形で配されており、例えば感光性樹脂材料に遮光材料（例えばカーボンブラック）を含有させてなることで高い遮光性を有している。遮光部２５は、表示領域ＡＡに配される部分が平面に視て格子状にパターニングされているのに対し、非表示領域ＮＡＡに配される部分が平面に視て額縁状（枠状）にパターニングされている。遮光部２５のうち、表示領域ＡＡに配される部分は、Ｙ軸方向に沿って延在する部分と、Ｘ軸方向に沿って延在する部分と、を相互に繋いでなり、これらの部分により画素部ＰＸが画定されている。詳しくは、表示領域ＡＡにおいて遮光部２５のうちＹ軸方向に沿って延在する部分は、図１２に示すように、Ｘ軸方向について画素部ＰＸの短辺寸法分の間隔（Ｘ軸方向についての配列ピッチ）を空けて多数本が間欠的に並んで配されているのに対し、Ｘ軸方向に沿って延在する部分は、Ｙ軸方向について画素部ＰＸの長辺寸法分の間隔（Ｙ軸方向についての配列ピッチ）を空けて多数本が間欠的に並んで配されている。カラーフィルタ２４は、図７及び図８に示すように、表示領域ＡＡに配されるとともに、後述するアレイ基板１１ｂ側の画素電極２０の配置に応じて島状にパターニングされており、例えば感光性樹脂材料に着色のための顔料を含有させてなる。詳しくは、カラーフィルタ２４は、ＣＦ基板１１ａの表示領域ＡＡにおいて、アレイ基板１１ｂ側の各画素電極２０と平面に視て重畳する位置に行列状（マトリクス状）に平面配置される多数の着色部から構成されている。各着色部は、平面に視て縦長の方形状をなしている（図示せず）。カラーフィルタ２４は、赤色、緑色、青色をそれぞれ呈する各着色部が行方向（Ｘ軸方向）に沿って交互に繰り返し並ぶことで着色部群を構成し、その着色部群が列方向（Ｙ軸方向）に沿って多数並ぶ配置とされる。また、表示領域ＡＡにおいて隣り合う着色部の間は、遮光部２５における格子状の部分によって仕切られることで、画素部ＰＸ間の混色が防がれている。金属膜４６は、遮光部２５の上層側に積層されており、表示領域ＡＡにおいては遮光部２５の格子状をなす部分のうちのＸ軸方向に沿って延在する部分と重畳するよう横縞状のパターンとされることで、駆動電極３９を構成している（図１４）。金属膜４６のうち、非表示領域ＮＡＡに配される部分は、位置検出配線部４０、ＣＦ基板側コンタクト部４２、及びダミー配線部４７をそれぞれ構成している。平坦化膜２６は、遮光部２５、カラーフィルタ２４、及び金属膜４６の上層側に積層されるとともに、表示領域ＡＡと非表示領域ＮＡＡとに跨る形でベタ状のパターンとされており、例えばポリメタクリル酸メチル樹脂（ＰＭＭＡ）などのアクリル系樹脂材料などからなるものとされる。平坦化膜２６は、その膜厚がカラーフィルタ２４、遮光部２５、及び金属膜４６よりも大きくされることで、ＣＦ基板１１ａにおける液晶層１１ｃ側の面（配向膜が配される面）を好適に平坦化している。平坦化膜２６は、金属膜４６からなる駆動電極３９、位置検出配線部４０、ダミー配線部４７をアレイ基板１１ｂ側から覆う形で配されていることになる。
【００４８】
ところで、従来では、Ｘ軸方向に沿って並ぶ複数のフローティング電極が両端に位置するものを除いて全て同一幅とされるのに対し、両端に位置するものの幅が中央側に位置するものの幅の例えば約半分程度と小さくされる。このため、Ｘ軸方向について最も端に位置する検出電極とそれに隣り合う検出電極との間の静電容量の差は、Ｘ軸方向について中央側において互いに隣り合う検出電極の間の静電容量の差に比べると、相対的に大きくなる傾向にある。ここで、タッチ位置検出に際して、ノイズ耐性を高めるべく、Ｘ軸方向について隣り合う検出電極の容量値の差分をとる検出方式を採用した場合には、上記した容量値の差が大きくなることに起因して大きなノイズが生じてしまい、位置検出感度がＸ軸方向についての端側でのみ局所的に低下することが懸念される。なお、本実施形態においてＸ軸方向について隣り合う検出電極３８の容量値の差分をとる検出方式に関しては、例えば特開２０１３−３６０３号公報に開示されており、その開示内容の全てを本明細書に援用するものとする。
【００４９】
そこで、本実施形態では、複数のフローティング電極４５は、図９及び図１３に示すように、基準となる幅（基準幅）ＦＷ３の基準幅フローティング電極４８と、Ｘ軸方向（第２方向）について最も端に配されてその幅ＦＷ１が最も狭い最小幅フローティング電極４９と、Ｘ軸方向について基準幅フローティング電極４８よりも端側で最小幅フローティング電極４９よりも中央側に配されてその幅ＦＷ２が基準幅フローティング電極４８の幅ＦＷ３よりも狭く最小幅フローティング電極４９の幅ＦＷ１よりは広い中間幅フローティング電極５０と、から構成されている。このようにすれば、最小幅フローティング電極４９とそれに隣り合う検出電極３８との間で形成される静電容量と、基準幅フローティング電極４８とそれに隣り合う検出電極３８との間で形成される静電容量と、の間の差に比べると、最小幅フローティング電極４９とそれに隣り合う検出電極３８との間で形成される静電容量と、中間幅フローティング電極５０とそれに隣り合う検出電極３８との間で形成される静電容量と、の間の差が相対的に小さくなるとともに、基準幅フローティング電極４８とそれに隣り合う検出電極３８との間で形成される静電容量と、中間幅フローティング電極５０とそれに隣り合う検出電極３８との間で形成される静電容量と、の間の差が相対的に小さくなる。そして、中間幅フローティング電極５０は、Ｘ軸方向について基準幅フローティング電極４８と最小幅フローティング電極４９との間に介在する形で配されているので、各フローティング電極４８〜５０と、Ｘ軸方向に沿って並ぶ複数の検出電極３８と、の間で形成される静電容量の容量値が均等化されてＸ軸方向についての端側において極端な容量値の差が生じることが避けられる。従って、位置検出に際してＸ軸方向についての端側において検出電極３８がノイズの影響を受け難いものとなり、位置検出感度がＸ軸方向についての端側において局所的に低下する事態が生じ難くなる。なお、各フローティング電極４８〜５０は、各幅ＦＷ１〜ＦＷ３に係る不等式「ＦＷ１＜ＦＷ２＜ＦＷ３」が成り立つよう構成されていることになる。
【００５０】
本実施形態では、フローティング電極４５が上記したように３種類の幅ＦＷ１〜ＦＷ３を有しているのに対し、フローティング電極４５に対してＸ軸方向について隣り合う検出電極３８については、図１３に示すように、それぞれの幅ＳＷが等しくなるよう構成されている。このようにすれば、仮にＸ軸方向について端に位置する検出電極の幅を他の検出電極よりも広くした場合にその分だけ複数のフローティング電極の総面積が従来よりも小さくなるのに比べると、複数のフローティング電極４５の総面積が従来と同等に保たれる。
【００５１】
続いて、各フローティング電極４８〜５０の幅寸法の関係について詳しく説明する。まず、最小幅フローティング電極４９は、自身の幅ＦＷ１が中間幅フローティング電極５０の幅ＦＷ２の半値よりも大きくなるよう構成されている。従来では、Ｘ軸方向について両端に位置するフローティング電極の幅が中央側に位置するフローティング電極の幅の約半分程度と小さくされる。これに比べると、本実施形態では、最小幅フローティング電極４９の幅ＦＷ１と中間幅フローティング電極５０の幅ＦＷ２との差が十分に小さなものとなるので、Ｘ軸方向についての端側において生じ得る容量値の差をより緩和することができる。また、最小幅フローティング電極４９は、図４及び図９に示すように、ＣＦ基板１１ａの板面内においてＸ軸方向について両端に対をなす形で１つずつ配されている。なお、最小幅フローティング電極４９及び中間幅フローティング電極５０は、各幅ＦＷ１，ＦＷ２に係る不等式「（ＦＷ２／２）＜ＦＷ１」が成り立つよう構成されていることになる。
【００５２】
そして、中間幅フローティング電極５０は、幅ＦＷ２が等しくなるものがＸ軸方向について検出電極３８を挟む形で２つ配されているので、仮に中間幅フローティング電極として幅が異なるものを２つ配した場合に比べると、フローティング電極４５に係る構成が単純化される。具体的には、Ｘ軸方向について端から２番目と３番目の２つのフローティング電極４５が、共に同一の幅ＦＷ２とされた中間幅フローティング電極５０となっている。２つの中間幅フローティング電極５０は、複数のフローティング電極４５のうち、Ｘ軸方向について各端から２番目と３番目とに位置するものである。従って、基準幅フローティング電極４８は、複数のフローティング電極４５のうち、Ｘ軸方向について各端から４番目以降に位置するものである。なお、中間幅フローティング電極５０は、図４及び図９に示すように、ＣＦ基板１１ａの板面内においてＸ軸方向について両端側に対をなす形で２つずつ配されている。
【００５３】
複数の検出電極３８のうち、Ｘ軸方向について２つの基準幅フローティング電極４８の間に挟まれる検出電極３８は、Ｘ軸方向についての中心が、２つの基準幅フローティング電極４８の中間位置と一致しているものの、Ｘ軸方向について最小幅フローティング電極４９に隣り合う検出電極３８と、Ｘ軸方向について中間幅フローティング電極５０に隣り合う検出電極３８と、については、それぞれのＸ軸方向についての中心が、その検出電極３８を挟む２つのフローティング電極４５の中間位置に対してＸ軸方向について端寄りに偏心する形で配されている。詳しくは、中間幅フローティング電極５０と基準幅フローティング電極４８との間に挟まれる検出電極３８（図１３に示す左端から３番目の検出電極３８）は、Ｘ軸方向についての中心が、中間幅フローティング電極５０と基準幅フローティング電極４８との中間位置に対してＸ軸方向について端寄りに配されている。２つの中間幅フローティング電極５０の間に挟まれる検出電極３８（図１３に示す左端から２番目の検出電極３８）は、Ｘ軸方向についての中心が、２つの中間幅フローティング電極５０の中間位置に対してＸ軸方向について端寄りに配されている。最小幅フローティング電極４９と中間幅フローティング電極５０との間に挟まれる検出電極３８（図１３に示す左端の検出電極３８）は、Ｘ軸方向についての中心が、最小幅フローティング電極４９と中間幅フローティング電極５０との中間位置に対してＸ軸方向について端寄りに配されている。これに対し、Ｘ軸方向に沿って並ぶ複数の検出電極３８がそれぞれ担当するＸ軸方向についての位置検出範囲（センサピッチ）は、全て等しくされている。従って、中間幅フローティング電極５０または最小幅フローティング電極４９に対してＸ軸方向について隣り合う検出電極３８は、Ｘ軸方向について位置検出範囲の中心に対して中央寄りに偏在する形で配されている、と言える。
【００５４】
本実施形態では、中間幅フローティング電極５０は、自身の幅ＦＷ２と基準幅フローティング電極４８の幅ＦＷ３との差が、自身の幅ＦＷ２と最小幅フローティング電極４９の幅ＦＷ１との差よりも小さくなるよう構成されている。つまり、各フローティング電極４８〜５０は、各幅ＦＷ１〜ＦＷ３に係る不等式「ＦＷ３−ＦＷ２＜ＦＷ２−ＦＷ１」が成り立つよう構成されていることになる。また、本実施形態では、中間幅フローティング電極５０は、自身の幅ＦＷ２と基準幅フローティング電極４８の幅ＦＷ３との差が、自身の幅ＦＷ２と最小幅フローティング電極４９の幅ＦＷ１との差の半値に等しくなるよう構成されている。つまり、各フローティング電極４８〜５０は、各幅ＦＷ１〜ＦＷ３に係る等式「ＦＷ３−ＦＷ２＝（ＦＷ２−ＦＷ１）／２」が成り立つよう構成されていることになる。また、本実施形態では、最小幅フローティング電極４９は、その幅ＦＷ１が検出電極３８の幅ＳＷよりも大きくなるよう構成されている。つまり、最小幅フローティング電極４９及び検出電極３８は、各幅ＦＷ１，ＳＷに係る不等式「ＳＷ＜ＦＷ１」が成り立つよう構成されていることになる。
【００５５】
なお、本実施形態では、検出電極３８の幅ＳＷが、例えば２０００μｍ程度とされ、基準幅フローティング電極４８の幅ＦＷ３が、例えば３０００μｍ程度とされ、最小幅フローティング電極４９の幅ＦＷ１が、例えば２１００μｍ程度とされ、中間幅フローティング電極５０の幅ＦＷ２が、例えば２７００μｍ程度とされ、Ｘ軸方向に沿って並ぶ複数の検出電極３８がそれぞれ担当するＸ軸方向についての位置検出範囲（センサピッチ）ＳＰが、例えば５０００μｍ程度とされる。
【００５６】
以上説明したように本実施形態のタッチパネルパターン（位置入力装置）ＴＰＰは、第１方向（Ｙ軸方向）に沿って延在するとともに第１方向と直交する第２方向（Ｘ軸方向）に沿って並んで配される複数の検出電極（第１位置検出電極）３８と、複数の検出電極３８に対して平面視においてそれぞれ重畳する部分を含む形で第２方向に沿って延在するとともに第１方向に沿って並んで配されて検出電極３８との間で静電容量を形成する複数の駆動電極（第２位置検出電極）３９と、複数の検出電極３８に対して平面視においてそれぞれ隣り合う形で配されるとともに複数の駆動電極３９に対して平面視において重畳する部分を含む形で配されていて隣り合う検出電極３８との間と、重畳する駆動電極３９との間と、でそれぞれ静電容量を形成する複数のフローティング電極４５と、複数のフローティング電極４５に含まれる基準幅フローティング電極４８と、複数のフローティング電極４５に含まれて第２方向について最も端に配されてその幅ＦＷ１が最も狭い最小幅フローティング電極４９と、複数のフローティング電極４５に含まれて第２方向について基準幅フローティング電極４８よりも端側で最小幅フローティング電極４９よりも中央側に配されてその幅ＦＷ２が基準幅フローティング電極４８よりも狭く最小幅フローティング電極４９よりは広い中間幅フローティング電極５０と、を備える。
【００５７】
このようにすれば、検出電極３８とそれに重畳する駆動電極３９との間に静電容量が形成されるのに加えて、フローティング電極４５とそれに隣り合う検出電極３８との間と、フローティング電極４５とそれに重畳する駆動電極３９との間と、にそれぞれ静電容量が形成されるので、位置検出感度（Ｓ／Ｎ比）がより高いものとなる。ところで、第２方向に沿って並ぶ複数の検出電極３８のうち第２方向について最も端に位置するものは、中央側に位置するものに比べると、隣り合うフローティング電極４５との間に形成される静電容量が相対的に小さくなりがちとなってその容量値の差が大きくなる傾向にあるため、位置検出に際して大きなノイズが生じて位置検出感度が局所的に低下することが懸念される。その点、複数のフローティング電極４５には、第２方向について基準幅フローティング電極４８よりも端側に配されるとともに最も端の最小幅フローティング電極４９よりも中央側に配されてその幅ＦＷ２が基準幅フローティング電極４８よりも狭く最小幅フローティング電極４９よりは広い中間幅フローティング電極５０が含まれているから、各フローティング電極４５と、第２方向に沿って並ぶ複数の検出電極３８との間で形成される静電容量の容量値が均等化されて第２方向についての端側において極端な容量値の差が生じることが避けられる。これにより、位置検出に際して第２方向についての端側において検出電極３８がノイズの影響を受け難いものとなり、位置検出感度が第２方向についての端側において局所的に低下する事態が生じ難くなる。
【００５８】
また、複数の検出電極３８は、それぞれの幅ＳＷが等しくなるよう構成されている。このようにすれば、仮に第２方向について端に位置する検出電極の幅を相対的に広くした場合に比べると、複数のフローティング電極４５の総面積が従来と同等に保たれる。
【００５９】
また、最小幅フローティング電極４９は、自身の幅ＦＷ１が中間幅フローティング電極５０の幅ＦＷ２の半値よりも大きくなるよう構成されている。このようにすれば、最小幅フローティング電極４９の幅ＦＷ１と中間幅フローティング電極５０の幅ＦＷ２との差が十分に小さなものとなるので、第２方向についての端側において生じ得る容量値の差をより緩和することができる。
【００６０】
また、中間幅フローティング電極５０は、幅ＦＷ２が等しくなるものが第２方向について検出電極３８を挟む形で少なくとも２つ配されている。このようにすれば、仮に中間幅フローティング電極として幅が異なるものを２つ配した場合に比べると、構成が単純化される。
【００６１】
また、本実施形態に係る液晶表示装置（位置入力機能付き表示装置）１０は、上記タッチパネルパターンＴＰＰと、タッチパネルパターンＴＰＰを備える液晶パネル（表示パネル）１１と、を少なくとも備える。
【００６２】
このような位置入力機能付き表示装置によれば、液晶パネル１１とタッチパネルパターンＴＰＰとを備えることにより、使用者の位置入力と、液晶パネル１１の表示と、の連携が円滑なものとなり、使用感の向上を図る上で好適となる。
【００６３】
また、液晶パネル１１は、画像が表示される表示領域ＡＡに配されるＴＦＴ（表示素子）１９を少なくとも有するアレイ基板１１ｂと、アレイ基板１１ｂと対向状をなす形で間隔を空けて配されるＣＦ基板（対向基板）１１ａと、を備えており、タッチパネルパターンＴＰＰは、駆動電極３９がＣＦ基板１１ａにおけるアレイ基板１１ｂ側を向いた板面において表示領域ＡＡに設けられるのに対し、検出電極３８とフローティング電極４５とがＣＦ基板１１ａにおけるアレイ基板１１ｂ側とは反対側を向いた板面において表示領域ＡＡに設けられることで、液晶パネル１１に一体化されている。このようにすれば、タッチパネルパターンＴＰＰが液晶パネル１１に一体化されているので、仮にタッチパネルパターンを液晶パネル１１とは別部品のタッチパネルに設けるようにした場合に比べると、当該液晶表示装置１０の薄型化や低コスト化などを図る上で好適となる。
【００６４】
＜実施形態２＞
本発明の実施形態２を図１４によって説明する。この実施形態２では、検出電極１３８の幅やフローティング電極１４５の幅を変更したものを示す。なお、上記した実施形態１と同様の構造、作用及び効果について重複する説明は省略する。
【００６５】
本実施形態に係る複数の検出電極１３８は、図１４に示すように、基準となる幅（基準幅）ＳＷ３の基準幅検出電極５１と、Ｘ軸方向（第２方向）について最も端に配されてその幅ＳＷ１が最も広い最大幅検出電極５２と、Ｘ軸方向について基準幅検出電極５１よりも端側で最大幅検出電極５２よりも中央側に配されてその幅ＳＷ２が基準幅検出電極５１の幅ＳＷ３よりも広く最大幅検出電極５２の幅ＳＷ１よりは狭い中間幅検出電極５３と、から構成されている。このようにすれば、最小幅フローティング電極１４９とそれに隣り合う最大幅検出電極５２との間で形成される静電容量と、基準幅フローティング電極１４８とそれに隣り合う基準幅検出電極５１との間で形成される静電容量と、の間の差に比べると、最小幅フローティング電極１４９とそれに隣り合う最大幅検出電極５２との間で形成される静電容量と、中間幅フローティング電極１５０とそれに隣り合う中間幅検出電極５３との間で形成される静電容量と、の間の差が相対的に小さくなるとともに、基準幅フローティング電極１４８とそれに隣り合う基準幅検出電極５１との間で形成される静電容量と、中間幅フローティング電極１５０とそれに隣り合う中間幅検出電極５３との間で形成される静電容量と、の間の差が相対的に小さくなる。そして、中間幅検出電極５３は、Ｘ軸方向について基準幅検出電極５１と最大幅検出電極５２との間に介在する形で配されているので、各検出電極５１〜５３と、Ｘ軸方向に沿って並ぶ複数のフローティング電極１４８〜１５０と、の間で形成される静電容量の容量値が均等化されてＸ軸方向についての端側において極端な容量値の差が生じることが避けられる。従って、位置検出に際してＸ軸方向についての端側において検出電極１３８がノイズの影響をより受け難いものとなり、位置検出感度がＸ軸方向についての端側において局所的に低下する事態がより生じ難くなる。なお、各検出電極５１〜５３は、各幅ＳＷ１〜ＳＷ３に係る不等式「ＳＷ３＜ＳＷ２＜ＳＷ１」が成り立つよう構成されていることになる。
【００６６】
本実施形態では、中間幅検出電極５３は、各最大幅検出電極５２に対してＸ軸方向について中央側に隣り合う形で１つずつ設けられており、複数の検出電極１３８のうち、Ｘ軸方向について各端から２番目に位置するものである。従って、基準幅検出電極５１は、複数の検出電極１３８のうち、Ｘ軸方向について各端から３番目以降に位置するものである。なお、最大幅検出電極５２は、Ｘ軸方向について両端に対をなす形で１つずつ配されている。
【００６７】
次に、各検出電極５１〜５３の幅寸法の関係について詳しく説明する。中間幅検出電極５３は、自身の幅ＳＷ２と基準幅検出電極５１の幅ＳＷ３との差が、自身の幅ＳＷ２と最大幅検出電極５２の幅ＳＷ１との差と等しくなるよう構成されている。このようにすれば、中間幅検出電極５３の幅ＳＷ２が、基準幅検出電極５１の幅ＳＷ３と、最大幅検出電極５２の幅ＳＷ１と、の平均値となるので、各検出電極５１〜５３と、Ｘ軸方向に沿って並ぶ複数のフローティング電極１４５（１４８〜１５０）との間で形成される静電容量の容量値がさらに好適に均等化されてＸ軸方向についての端側において生じ得る容量値の差がさらに緩和される。なお、各検出電極５１〜５３は、各幅ＳＷ１〜ＳＷ３に係る等式「ＳＷ１−ＳＷ２＝ＳＷ２−ＳＷ３」が成り立つよう構成されていることになる。
【００６８】
複数のフローティング電極１４５に含まれる中間幅フローティング電極１５０は、幅ＦＷ５，ＦＷ６が異なるものがＸ軸方向について検出電極１３８を挟む形で２つ配されている。具体的には、中間幅フローティング電極１５０には、相対的に狭い幅ＦＷ５の第１中間幅フローティング電極１５０Ａと、相対的に広い幅のＦＷ６の第２中間幅フローティング電極１５０Ｂと、が含まれている。第１中間幅フローティング電極１５０Ａは、複数のフローティング電極１４５のうち、図１４に示す左端から２番目に位置するものであり、第２中間幅フローティング電極１５０Ｂは、複数のフローティング電極１４５のうち、図１４に示す左端から３番目に位置するものである。第１中間幅フローティング電極１５０Ａと第２中間幅フローティング電極１５０Ｂとの間には、中間幅検出電極５３が挟まれる配置とされる。第１中間幅フローティング電極１５０Ａ及び第２中間幅フローティング電極１５０Ｂは、その幅ＦＷ５，ＦＷ６が、最小幅フローティング電極１４９の幅ＦＷ４より広く、基準幅フローティング電極１４８の幅ＦＷ７よりは狭いものとされる。このようにすれば、上記した実施形態１のように中間幅フローティング電極５０として幅が等しくなるものを２つ配した場合（図１３を参照）に比べると、幅ＦＷ５，ＦＷ６が異なる２つの中間幅フローティング電極１５０Ａ，１５０Ｂの間に挟まれた中間幅検出電極５３と、最小幅フローティング電極１４９に隣り合う最大幅検出電極５２と、の間に生じる容量値の差をより好適に緩和することができる。なお、各フローティング電極１４８〜１５０及び各検出電極５１〜５３は、各幅ＦＷ４〜ＦＷ７，ＳＷ１〜ＳＷ３に係る不等式「ＦＷ４＜ＳＷ３＜ＳＷ２＜ＳＷ１＜ＦＷ５＜ＦＷ６＜ＦＷ７」が成り立つよう構成されていることになる。
【００６９】
なお、本実施形態では、基準幅検出電極５１の幅ＳＷ３が、例えば２０００μｍ程度とされ、最大幅検出電極５２の幅ＳＷ１が、例えば２４００μｍ程度とされ、中間幅検出電極５３の幅ＳＷ２が、例えば２２００μｍ程度とされ、基準幅フローティング電極１４８の幅ＦＷ７が、例えば３０００μｍ程度とされ、最小幅フローティング電極１４９の幅ＦＷ４が、例えば１３００μｍ程度とされ、第１中間幅フローティング電極１５０Ａの幅ＦＷ５が、例えば２７００μｍ程度とされ、第２中間幅フローティング電極１５０Ｂの幅ＦＷ６が、例えば２９００μｍ程度とされ、Ｘ軸方向に沿って並ぶ複数の検出電極１３８がそれぞれ担当するＸ軸方向についての位置検出範囲（センサピッチ）ＳＰが、例えば５０００μｍ程度とされる。
【００７０】
以上説明したように本実施形態によれば、複数の検出電極１３８に含まれる基準幅検出電極５１と、複数の検出電極１３８に含まれて第２方向（Ｘ軸方向）について最も端に配されてその幅ＳＷ１が最も広い最大幅検出電極５２と、複数の検出電極１３８に含まれて第２方向について基準幅検出電極５１よりも端側で最大幅検出電極５２よりも中央側に配されてその幅ＳＷ２が基準幅検出電極５１よりも広く最大幅検出電極５２よりは狭い中間幅検出電極５３と、を備える。このようにすれば、複数の検出電極１３８には、第２方向について基準幅検出電極５１よりも端側に配されるとともに最も端の最大幅検出電極５２よりも中央側に配されてその幅ＳＷ２が基準幅検出電極５１よりも広く最大幅検出電極５２よりは狭い中間幅検出電極５３が含まれているから、各検出電極１３８と、第２方向に沿って並ぶ複数のフローティング電極１４５との間で形成される静電容量の容量値がより好適に均等化されて第２方向についての端側において生じ得る容量値の差がより緩和される。
【００７１】
また、中間幅検出電極５３は、自身の幅ＳＷ２と基準幅検出電極５１の幅ＳＷ３との差が、自身の幅ＳＷ２と最大幅検出電極５２の幅ＳＷ１との差と等しくなるよう構成されている。このようにすれば、中間幅検出電極５３の幅ＳＷ２が、基準幅検出電極５１の幅ＳＷ３と、最大幅検出電極５２の幅ＳＷ１と、の平均値となるので、各検出電極１３８と、第２方向に沿って並ぶ複数のフローティング電極１４５との間で形成される静電容量の容量値がさらに好適に均等化されて第２方向についての端側において生じ得る容量値の差がさらに緩和される。
【００７２】
また、中間幅フローティング電極１５０は、幅ＦＷ５，ＦＷ６が異なるものが第２方向について検出電極１３８を挟む形で少なくとも２つ配されている。このようにすれば、仮に中間幅フローティング電極として幅が等しくなるものを２つ配した場合に比べると、幅ＦＷ５，ＦＷ６が異なる２つの中間幅フローティング電極１５０の間に挟まれた検出電極１３８（中間幅検出電極５３）と、最小幅フローティング電極１４９に隣り合う検出電極１３８（最大幅検出電極５２）と、の間に生じる容量値の差をより好適に緩和することができる。
【００７３】
＜他の実施形態＞
本発明は上記記述及び図面によって説明した実施形態に限定されるものではなく、例えば次のような実施形態も本発明の技術的範囲に含まれる。
（１）上記した実施形態１では、全ての検出電極の幅が均一化された構成において、Ｘ軸方向について両端側に同一幅の中間幅フローティング電極が２つずつ備えられる場合を例示したが、全ての検出電極の幅が均一化された構成において、Ｘ軸方向について両端側に同一幅の中間幅フローティング電極が１つずつまたは３つ以上ずつ備えられる構成を採ることも可能である。また、全ての検出電極の幅が均一化された構成において、Ｘ軸方向について両端側に異なる幅の中間幅フローティング電極が複数ずつ備えられる構成を採ることも可能である。
【００７４】
（２）上記した実施形態１のように、全ての検出電極の幅が均一化された構成において、Ｘ軸方向について両端側に同一幅の中間幅フローティング電極が複数ずつ備えられるとともに異なる幅の中間幅フローティング電極が複数ずつ備えられる構成を採ることも可能である。
【００７５】
（３）上記した実施形態２では、複数の検出電極に異なる幅のものが含まれる構成において、Ｘ軸方向について両端側に異なる幅の中間幅フローティング電極が２つずつ備えられる場合を例示したが、複数の検出電極に異なる幅のものが含まれる構成において、Ｘ軸方向について両端側に異なる幅の中間幅フローティング電極が１つずつまたは３つ以上ずつ備えられる構成を採ることも可能である。また、複数の検出電極に異なる幅のものが含まれる構成において、Ｘ軸方向について両端側に同一幅の中間幅フローティング電極が複数ずつ備えられる構成を採ることも可能である。
【００７６】
（４）上記した実施形態２のように、複数の検出電極に異なる幅のものが含まれる構成において、Ｘ軸方向について両端側に同一幅の中間幅フローティング電極が複数ずつ備えられるとともに異なる幅の中間幅フローティング電極が複数ずつ備えられる構成を採ることも可能である。
【００７７】
（５）上記した実施形態２では、Ｘ軸方向について両端側に中間幅検出電極が１つずつ備えられる場合を例示したが、Ｘ軸方向について両端側に中間幅検出電極が複数ずつ備えられる構成を採ることも可能である。その場合、中間幅検出電極の幅をＸ軸方向について隣り合うもの同士で異ならせることもできるが、同一とすることもできる。
【００７８】
（６）上記した各実施形態以外にも、各フローティング電極の幅の具体的な大小関係、及び各検出電極の幅の具体的な大小関係については、適宜に変更することが可能である。
【００７９】
（７）上記した各実施形態では、検出電極及びフローティング電極を、それぞれＣＦ基板の外面に設けるようにした場合を示したが、例えば、ＣＦ基板の表側にカバーパネルを積層する形で配置する構成を採る場合には、これらの検出電極及びフローティング電極のいずれか一方または両方を、上記したカバーパネルにおけるＣＦ基板側の板面に設けるようにすることも可能である。
【００８０】
（８）上記した各実施形態では、ＣＦ基板の内面に駆動電極を設けるようにした場合を示したが、例えばアレイ基板の内面に設けられた共通電極を、上記した駆動電極と同様の平面構成となるようパターニングするとともに、駆動電極の機能を併有させるようにすることも可能である。その場合、アレイ基板の共通電極に、表示のための信号と、位置検出のための信号と、を時間的に前後にずらして入力すればよい。
【００８１】
（９）上記した各実施形態では、アレイ基板側に画素電極と共通電極とが共に配されるとともに、画素電極と共通電極とが間に絶縁膜を介在させた形で重畳する構成の液晶パネル（ＦＦＳモードの液晶パネル）を例示したが、アレイ基板側に画素電極が配されるとともにＣＦ基板側に共通電極が配されるとともに画素電極と共通電極とが間に液晶層を介在させた形で重畳する構成の液晶パネル（ＶＡモードの液晶パネル）にも本発明は適用可能である。それ以外にも、いわゆるＩＰＳモードの液晶パネルにも本発明は適用可能である。
【００８２】
（１０）上記した各実施形態に記載した構成において、ダミー配線部、モノリシック回路部などを省略することも可能である。
【００８３】
（１１）上記した各実施形態では、タッチパネルパターンのタッチ領域と、液晶パネルの表示領域と、が互いに一致する構成のものを示したが、両者が完全に一致している必要はなく、例えばタッチパネルパターンのタッチ領域が、液晶パネルの表示領域の全域と、非表示領域の一部（表示領域寄りの部分）とに跨る範囲に設定されていてもよい。
【００８４】
（１２）上記した各実施形態では、半導体膜をＣＧシリコン薄膜（多結晶シリコン薄膜）とした場合を例示したが、それ以外にも、例えば酸化物半導体やアモルファスシリコンを半導体膜の材料として用いることも可能である。
【００８５】
（１３）上記した各実施形態では、液晶パネルのカラーフィルタが赤色、緑色及び青色の３色構成とされたものを例示したが、赤色、緑色及び青色の各着色部に、黄色の着色部を加えて４色構成としたカラーフィルタを備えたものにも本発明は適用可能である。
【００８６】
（１４）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。また、本発明は、半透過型液晶表示装置にも適用可能である。
【００８７】
（１５）上記した各実施形態では、小型または中小型に分類され、携帯型情報端末、携帯電話（スマートフォンを含む）、ノートパソコン（タブレット型ノートパソコンを含む）、デジタルフォトフレーム、携帯型ゲーム機などの各種電子機器などに用いされる液晶パネルを例示したが、画面サイズが例えば２０インチ〜９０インチで、中型または大型（超大型）に分類される液晶パネルにも本発明は適用可能である。その場合、液晶パネルをテレビ受信装置、電子看板（デジタルサイネージ）、電子黒板などの電子機器に用いることが可能とされる。
【００８８】
（１６）上記した各実施形態では、一対の基板間に液晶層が挟持された構成とされる液晶パネルについて例示したが、一対の基板間に液晶材料以外の機能性有機分子を挟持した表示パネルについても本発明は適用可能である。
【００８９】
（１７）上記した各実施形態では、液晶パネルのスイッチング素子としてＴＦＴを用いたが、ＴＦＴ以外のスイッチング素子（例えば薄膜ダイオード（ＴＦＤ））を用いた液晶パネルを備えた液晶表示装置にも適用可能であり、カラー表示する液晶パネルを備えた液晶表示装置以外にも、白黒表示する液晶パネルを備えた液晶表示装置にも適用可能である。
【００９０】
（１８）上記した各実施形態では、表示パネルとして液晶パネルを用いた液晶表示装置を例示したが、他の種類の表示パネル（ＰＤＰ（プラズマディスプレイパネル）、有機ＥＬパネル、ＥＰＤ（電気泳動ディスプレイパネル）など）を用いた表示装置にも本発明は適用可能である。その場合、バックライト装置を省略することも可能である。
【符号の説明】
【００９１】
１０...液晶表示装置（位置入力機能付き表示装置）、１１...液晶パネル（表示パネル）、１１ａ...アレイ基板、１１ｂ...ＣＦ基板（対向基板）、１９...ＴＦＴ（表示素子）、３８，１３８...検出電極（第１位置検出電極）、３９...駆動電極（第２位置検出電極）、４５，１４５...フローティング電極、４８，１４８...基準幅フローティング電極、４９，１４９...最小幅フローティング電極、５０，１５０...中間幅フローティング電極、５１...基準幅検出電極（基準幅第１位置検出電極）、５２...最大幅検出電極（最大幅第１位置検出電極）、５３...中間幅検出電極（中間幅第１位置検出電極）、ＡＡ...表示領域、ＴＰＰ...タッチパネルパターン（位置入力装置）
【図１】
2016199691.tif 000003
【図２】
2016199691.tif 000004
【図３】
2016199691.tif 000005
【図４】
2016199691.tif 000006
【図５】
2016199691.tif 000007
【図６】
2016199691.tif 000008
【図７】
2016199691.tif 000009
【図８】
2016199691.tif 000010
【図９】
2016199691.tif 000011
【図１０】
2016199691.tif 000012
【図１１】
2016199691.tif 000013
【図１２】
2016199691.tif 000014
【図１３】
2016199691.tif 000015
【図１４】
2016199691.tif 000016
【国際調査報告】
2016199691.tif 000017
2016199691.tif 000018
2016199691.tif 000019
2016199691.tif 000020